(57)【要約】【課題】簡易で省スペースな構造でかご床を照光することができ、効率的に照明装置の交換作業を行うことができる照明を有するエレベータかご室の提供を目的とする。【解決手段】かご床の床上側に設けられた光を透過させる透光板と、前記かご床の床下側に設けられ、側端から照射された光を前記透光板を介して前記かご室内部へ向けて反照する導光板と、前記導光板の周囲に設けられ、前記導光板へ向けて光を発生させる照光装置とを備えていることを特徴とするエレベータのかご室。【選択図】図１
2012056724.tif 000002
【特許請求の範囲】
【請求項１】
側壁、天井、出入口戸及び床から構成されるエレベータのかご室と、
前記床の少なくとも一部に設けられた光を透過させる透光板と、
前記透光板の下側に設けられ、側端面から照射された光を前記透光板を介して前記かご室内部へ向けて導光する導光板と、
前記導光板の周囲に設けられ、前記導光板内に向けて光を射出する複数の光源を有する照光装置とを備えていることを特徴とするエレベータのかご室。
【請求項２】
前記照光装置に、光源としてLEDを使用することを特徴とする請求項１記載のエレベータのかご室。
【請求項３】
前記透光板は、前記かご床の全面に設けられていることを特徴とする請求項１記載のエレベータのかご室。
【請求項４】
前記照光装置を構成する複数の光源は、複数個ずつまとめてユニット化され、ユニット単位で光源を制御する制御手段を備えていることを特徴とする請求項１乃至３のいずれかに記載のエレベータのかご室。
【請求項５】
前記照光装置の電源に、予備電源を備えていることを特徴とする請求項１乃至４のいずれかに記載のエレベータのかご室。
【請求項６】
前記照光装置の下部のかご床底の一部は、かご室床下から着脱自在であり、
前記照光装置は、このかご床底を取り外すことで前記導光板の下側から着脱可能となる構造を備えていることを特徴とする請求項１乃至４のいずれかに記載のエレベータのかご室。
【請求項７】
前記照光装置の上部の床もしくは透光板は、かご室内から着脱自在であり、
前記照光装置は、この床もしくは透光板を取り外すことで前記導光板の上側から着脱可能となる構造を備えていることを特徴とする請求項１乃至４のいずれかに記載のエレベータのかご室。
【請求項８】
前記照光装置の上部にある側壁の一部は、かご室内から着脱自在であり、
前記照光装置は、この側壁の一部を取り外すと前記導光板の上側から着脱可能となる構造を備えていることを特徴とする請求項１乃至４のいずれかに記載のエレベータのかご室。
【発明の詳細な説明】
【技術分野】
【０００１】
本発明はエレベータのかご室に関し、特にエレベータのかご床に設けられる照明装置に関する。
【背景技術】
【０００２】
従来、エレベータかご室の床下に蛍光灯を採用した照光装置を設置し、床の透光板を介してかご室内を照光するエレベータが知られている。しかし、床面を均一に照光するためには蛍光灯ケースを設置するためのスペースに加えて、蛍光灯から透光板まで一定の間隔が必要であり、かご床下の寸法を大きくする必要があった。
【発明の概要】
【発明が解決しようとする課題】
【０００３】
本発明は、上記のような従来のエレベータかご床に設けられる照明装置の問題点に鑑みてなされたもので、簡易で省スペースな構造でかご床を照光することができ、ピットを深くする必要なく効率的に照明装置の交換作業を行うことができるエレベータかご室の提供を目的とする。
【課題を解決するための手段】
【０００４】
上記課題を解決するために、本発明のエレベータかご室は、かご室側壁、かご室天井、かご室の出入口戸及び少なくともその一部に光を透過させる透光板を有するかご床から構成され、前記かご床の下側に設けられ、側端面から照射された光を前記透光板から前記かご室内部へ向けて照射する導光板と、前記導光板の側端面に設けられ、前記導光板へ向けて光を発生させる光源とを備えていることを特徴とする。
【図面の簡単な説明】
【０００５】
【図１】本発明の第１の実施形態によるエレベータのかご室を示す縦断面図である。
【図２】同じくエレベータのかご室を示す平面図である。
【図３】同じくエレベータのかご床の詳細図である。
【図４】同じく照光装置の取り付け構造を示す部分概略図である。
【図５】同じく照光装置の取り付け構造を示す部分概略図である。
【図６】本発明の第２の実施形態によるエレベータのかご室を示す縦断面図である。
【図７】同じくエレベータのかご室を示す平面図である。
【図８】同じくエレベータのかご床の詳細図である。
【図９】同じくエレベータかご室の一部の構造を示す部分概略図である。
【図１０】本発明の第３の実施形態によるエレベータかご室の部分概略図である。
【図１１】本発明の第４の実施形態によるエレベータかご室の部分概略図である。
【図１２】本発明の第５の実施形態によるエレベータかご室の部分概略図である。
【図１３】本発明の第６の実施形態によるエレベータかご室の部分概略図である。
【図１４】本発明の第７の実施形態によるエレベータかご室の部分概略図である。
【発明を実施するための形態】
【０００６】
以下図面を参照しつつ、本発明の実施形態について説明する。  
図１は、第１の実施形態を示すエレベータかご室の縦断面図である。また、図２はその平面図であり、図３はこの平面図におけるA-A方向の縦断面図である。破線は照光装置の設置位置を示す。本実施形態におけるエレベータかご室は、かご室側壁１、かご室天井２、吊天井３、出入口戸４およびかご床５からなる。
【０００７】
このかご床５は、その全面にマトリクス状に配列された複数の透光板６により構成されている。各透光板６は、強化ガラス等からなる矩形のパネルである。
【０００８】
かご床５の下側には、導光板７が設置されている。導光板７の側端部には複数個の照光装置、例えばLED光源８が配列設置されている。図２において破線で示すように、LED光源８はエレベータのかご床全体の周囲に配列設置されている。
【０００９】
導光板７は、光源８からの光を拡散させ、透光板６を介してかご床５を下方から照射する。光源８からの光を均一に発光させることができ、広い面積での発光を可能としている。導光板７は、全体として薄い板状であり、この端面に設置される各ＬＥＤ光源８も小型であるため、これらによって形成される照明装置は全体として薄型となり、エレベータのかご床下側に占めるスペースも小さくすることができる。従って、照明装置の保守点検に要するエレベータのかご床下側に設けられるピットの深さも相対的に浅くすることが可能となる。また、光源としてＬＥＤを使用することによって、光源８の設置スペースを縮小することができ、光源の寿命が長くなることによりランプ等に比べ交換の頻度を減らすことができる。また、発光色の変更、点灯や点滅の演出を制御することで、より自由な光のイルミネーションを演出することができる。
【００１０】
なお、透光板６は、強化ガラス以外にも、法令上求められる防火基準、強度を満たし、透光性を有するものであればどのような素材を選択してもよい。
【００１１】
また、かご床５の下方に予備電源９を設けることによって建物の停電によってエレベータの照明電源が給電中止となった場合、非常照明に切りかえることが可能である。
【００１２】
図４、図５は、本実施形態におけるかご室側壁１およびかご床５が接する部分の構造を示す一部切欠断面図である。かご室側壁１のうち、例えば巾木１０のようなかご床５に近い部分が取り外し可能に構成されている。従って、かご室内から光源８の取付けまたは交換作業を行うことができる。
【００１３】
エレベータのかご床下側のピットで交換作業をする必要がないため、床下のスペースを縮小することができ、エレベータを停止することなく、安全に作業することができる。また、かご室側面の必要な部分のみ取り外して作業をすることで、より簡易に交換作業を行うことができる。図４は、ネジ等で固定された光源８を巾木１０の位置から交換できる構造を示す。図５は、かご室内から巾木１０を取りはずし、ネジ等で固定された光源８を蝶番１１を基点として回転させて交換する構造を示す。これにより、省スペースの照明装置においても簡易に、迅速に、また安全に交換することができる。
【００１４】
図６は、第２の実施形態を示す正面図であり、エレベータかご室の下部を切欠して断面を示す。図７は本実施形態のかご床５を示す平面図でり、A-A方向の縦断面図を図８に示す。この実施形態においては、エレベータのかご床５の下側に設置される導光板７は、長方形の４個のユニットに分割され、それらの平行な長辺に沿って複数個のＬＥＤ光源８が設置されている。このユニットごとに設置された光源８に対してそれらの光出力を制御できる制御手段１２が設けられている。この制御手段１２は、全面に透光板６が設けられている場合であっても、かご床５の一部を照明することができる。これによりかご室内の照度を調節し、より自由なイルミネーションを与えることができる。また、エレベータの到着にあわせて光源８を点灯することで、利用者に目的階への到着を知らせることができ、視覚によっての様々な案内を表示することができる。
【００１５】
図９は、本実施形態におけるかご室側壁１およびかご床５が接する部分の構造を示す一部切欠断面図である。光源８は、導光板７の端面に設置されかご床下のピットから取り外しできる位置に設置されている。そのため、既存のピットから、かご床の下部を取り外し、光源８の取り付けまたは交換を簡易に行うことができる。
【００１６】
図１０は第３の実施形態におけるかご室側壁１およびかご床５が接する部分の構造を示す一部切欠断面図である。かご床５には透光板６のパネルが複数枚配置され、かご室側壁１の下側には光源８が設置されている。透光板６はかご室内に取り外しができる構造である。かご室側壁１に接する透光板６のうち作業が必要な位置のパネルをかご室内に取り外すことで、光源８を取り付けまたは交換することができる。
【００１７】
図１１は第４の実施形態におけるかご室側壁１およびかご床５が接する部分の構造を示す一部切欠断面図である。かご床５には複数枚の透光板６が設置され、透光板６を設けていない部分のかご床５の下側に光源８を付属させる。透光板６を設けていない部分のかご床５はかご室内に取り外すことができるよう設置する。作業が必要な位置のかご床５を取り外すことで、光源８を取り付けまたは交換することができる。
【００１８】
本実施形態ではかご室内から簡易に交換作業を行うことができるので、保守性が向上する。さらに、床下のピットに入らず交換作業を行うことができるため、ピットのスペースを縮小し、エレベータを停止することなく、安全に交換作業を行うことができる。
【００１９】
図１２は第５の実施形態において、かご室側壁１およびかご床５が接する部分の構造を示す一部切欠断面図である。かご室側壁１のうち、例えば巾木１０のようなかご床５に近い部分が取り外し可能に構成され、導光板７の端面にある光源をかご室側壁１の接する巾木１０の位置まで移動して取付けまたは交換作業を行うことができる構造である。
【００２０】
巾木１０の位置にて作業を行えるため、床下のスペースをさらに縮小することができる。また、必要な部分の側面のみ取り外して作業をすることができるので、より簡易に交換作業を行うことができ、保守性が向上する。
【００２１】
図１３は、第６の実施形態においてかご床５の透光板６が、部分的に設置されたエレベータかご室の平面図である。破線は光源８の設置位置を示し、矢印は導光板７への光の照射方向を示す。対面する２面のかご室側壁１とかご床の接する箇所から一定幅のかご床５に透光板６を設置する。この２面のかご室側壁１下部に光源８aを、導光板７のかご床５中央側に平行して８bを設置する。制御系統の異なる光源８a、光源８bは照光領域を制御する制御手段１２を備える。これにより、光源８aを点灯し光源８bを消灯するなどエレベータの使用状況に応じて、かご室内の照度を調節し、より自由なイルミネーションを与えることができる。
【００２２】
図１４は、第７の実施形態においてかご床５の透光板６が、部分的に設置されたエレベータかご室の平面図である。破線は光源８の設置位置を示し、矢印は導光板７への光の照射方向を示す。かご室側壁１とかご床５の接する箇所から一定幅のかご床５に透光板６を設置する。かご室側壁１の下部にある光源８は、照光領域を制御する制御手段１２を備える。本実施形態は、エレベータの到着に併せて光源８を点灯するなど照光領域を制御することによって利用者に目的階への到着を知らせることができ、視覚によっての様々な案内を表示することができる。
【００２３】
このように、エレベータのかご床内部の光源８からの光を導光板７により拡散させ、透光板６を介してかご床５を下方から照射する。これにより、エレベータのかご室の構造を大きく変えることなく簡易な構造で、かご床５を照光することができる。また、光源８の交換にまで配慮した構造をも採用することで、エレベータの保守にかかる時間を短縮し、サービスの向上を図ることができる。
【００２４】
なお、本発明は、上記実施の形態そのままに限定されるものではなく、実施段階では、その要旨を逸脱しない範囲で構成要素を変形して具体化できる。例えば、光源８として、有機ELを用いることも考えられる。有機ELを用いることで、更なる省スペース化を図れるだけでなく、透光板６を利用して様々な情報も併せて提供することができる。
【符号の説明】
【００２５】
1  かご室側壁
2  かご室天井
3  吊天井
4  出入口戸
5  かご床
6  透光板
7  導光板
8  光源 
9  予備電源
10  巾木
11  蝶番
12  制御手段
【図１】
2012056724.tif 000003
【図２】
2012056724.tif 000004
【図３】
2012056724.tif 000005
【図４】
2012056724.tif 000006
【図５】
2012056724.tif 000007
【図６】
2012056724.tif 000008
【図７】
2012056724.tif 000009
【図８】
2012056724.tif 000010
【図９】
2012056724.tif 000011
【図１０】
2012056724.tif 000012
【図１１】
2012056724.tif 000013
【図１２】
2012056724.tif 000014
【図１３】
2012056724.tif 000015
【図１４】
2012056724.tif 000016